(57)【要約】      （修正有）【課題】便器内の溜水量の変化量を計測することによって尿流量の測定を行なう尿流量測定便器を使用するに際して、普段通りの排泄をするだけで、移し変え作業の必要がなくて衛生的に尿検体を採取可能な尿検体採取装置を提供する。【解決手段】洋風大便器のボウル部内に臨んで取り付けられ、被験者が排泄した尿を受け止める受尿容器４０と、受尿容器に対して着脱自体な尿検体貯留容器５０と、を備えた尿検体採取装置４であって、受尿容器は、被験者が排尿した尿の一部のみが流入する尿分取部４２と、この尿分取部に開口した採尿口４４と、尿分取部から溢れた尿をボウル部に向けた排出する排尿口４６と、を有し、尿検体貯留容器は、採尿口に装着された状態で尿が流入する尿流入口５２と、この尿流入口から流入した尿を貯留する尿貯留室５４と、を有している。【選択図】図３
2016138842.tif 000002
【特許請求の範囲】
【請求項１】
洋風大便器のボウル部内に臨んで取り付けられ、被験者が排泄した尿を受け止める受尿容器と、
前記受尿容器に対して着脱可能な尿検体貯留容器と、
を備えた尿検体採取装置であって、
前記受尿容器は、被験者が排尿した尿の一部のみが流入する尿分取部と、この尿分取部に開口した採尿口と、前記尿分取部から溢れた尿をボウル部に向けた排出する排尿口と、を有し、
前記尿検体貯留容器は、前記採尿口に装着された状態で尿が流入する尿流入口と、この尿流入口から流入した尿を貯留する尿貯留室と、を有している尿検体採取装置。
【請求項２】
前記尿検体貯留容器は、前記受尿容器への非装着時に前記尿流入口を閉じる閉塞弁を有し、前記採尿口には、前記尿検体貯留容器の装着時に前記閉塞弁を開放状態に変位させる弁開放部材を有している請求項１記載の尿検体採取装置。
【請求項３】
前記受尿容器において、前記尿分取部が底部に形成されており、この尿分取部に開口している前記採尿口の上端より高い位置に前記排尿口が形成されている請求項１又は請求項２記載の尿検体採取装置。
【請求項４】
前記採尿口は、前記分取部の側方へ向かって開口している請求項１乃請求項３何れか一項記載の尿検体採取装置。
【請求項５】
前記受尿容器には、前後方向の一方側に前記排尿口が設けられ、他方側に前記採尿口が設けられている請求項４記載の尿検体採取装置。
【請求項６】
前記受尿容器は、ボウル部の上端に載置されるように水平方向に延びる鍔部を更に有し、この鍔部が前記ボウル部の上端に載置された状態での上面視において、前記受尿容器によって前記尿検体貯留容器の略全体が隠れている請求項４又は請求項５記載の尿検体採取装置。
【発明の詳細な説明】
【技術分野】
【０００１】
本発明は、被験者が排泄行為で洋風大便器のボウル部内に尿を排出するときのボウル部内の溜水量の変化量を計測することによって尿流量（排出される尿の総量である尿量や、単位時間当たりに排泄される尿量で表わされる尿流率の何れか、またはこれらを併せて、以下ではこう呼ぶ）を測定する尿流量測定便器を使用する際に、尿流量を測定しながら、尿の少なくとも一部を採取するのに好適な尿検体採取装置に関わる。
【背景技術】
【０００２】
泌尿器関係の診断に必要な排尿情報として、被験者が排泄する尿（以下、この尿を「排尿」とも呼ぶ）の尿流量が用いられており、近年、この尿流量の測定を、便器内に放尿させたときの便器ボウル内の溜水量の変化量を体積・水位変化や重量変化を計測することによって行なう装置が考えられており、その一例として溜水の水位変化から体積変化を求める尿流量測定便器なるものがある（特許文献１参照）。
【０００３】
また、特許文献１の尿流量測定便器においては特定成分測定用の検体採取を行なうことが出来ないという問題点に鑑み、大便器に係止されて使用され、所定量の尿だけを分取して残りをボウル内に排出する尿採取装置が提案されている（特許文献２参照）。
【先行技術文献】
【特許文献】
【０００４】
【特許文献１】特開２００６−２１９９７７号公報
【特許文献２】特開２０１１−２７７３３号公報
【発明の概要】
【発明が解決しようとする課題】
【０００５】
特許文献２の尿採取装置を特許文献１の尿流量測定便器で用いることにより、尿検体採取と尿流量測定を同時に実施することが可能であるが、尿採取装置に分取された尿検体を例えば特定成分濃度測定のための検査装置にかけようとした場合、患者または医療従事者は手動で移し変え作業を行わなければならないという手間が発生する。また、その移し変え作業において尿が漏出したり、患者または医療従事者に掛かることがあり、衛生的でないという問題もあった。
【０００６】
本発明は、上記問題を解決するためになされたもので、本発明の課題は、便器内の溜水量の変化量を計測することによって尿流量の測定を行なう尿流量測定便器を使用するに際して、普段通りの排泄をするだけで、移し変え作業の必要がなくて衛生的に尿検体を採取可能な尿検体採取装置を提供することを目的とするものである。
【課題を解決するための手段】
【０００７】
上記目的を達成するために本発明に係わる尿検体採取装置は、洋風大便器のボウル部内に臨んで取り付けられ、被験者が排泄した尿を受け止める受尿容器と、前記受尿容器部に対して着脱可能な尿検体貯留容器と、を備えた尿検体採取装置であって、前記受尿容は、被験者が排尿した尿の一部のみが流入する尿分取部と、この尿分取部に開口した採尿口と、前記尿分取部から溢れた尿をボウル部に向けた排出する排尿口と、を有し、前記尿検体貯留容器は、前記採尿口に装着された状態で尿が流入する尿流入口と、この尿流入口から流入した尿を貯留する尿貯留室と、を有している。
【０００８】
本発明によれば、被験者が受尿容器へと排尿するだけで、被験者が排尿した尿の一部のみが尿分取部へと流入し、この尿分取部へと流入した尿が尿検体貯留容器の尿貯留室へと貯留される。そして、排尿後には尿検体貯留容器を受尿容器から取外して特定成分濃度測定のための検査装置に運ぶこと可能であり、尿検体を移し変える作業の手間が発生せず、衛生的である。
【０００９】
また、本発明において好ましくは、前記尿検体貯留容器は、前記受尿容器への非装着時に前記尿流入口を閉じる閉塞弁を有し、前記採尿口には、前記尿検体貯留容器の装着時に前記閉塞弁を開放状態に変位させる弁開放部材を有していることにより、尿検体貯留容器が受尿容器に非装着状態では尿検体貯留容器の尿流入口が閉塞弁によって閉られるため、尿検体貯留容器を受尿容器から取外す際や、取外して持ち運ぶ際に尿が飛びだして医療従事者に掛かることを抑制でき衛生的である。
【００１０】
また、本発明において好ましくは、前記受尿容器において、前記尿分取部が底部に形成されており、この尿分取部に開口している前記採尿口の上端より高い位置に前記排尿口が形成されていることにより、被験者からの排尿が尿分取部に流入しやすく、排尿量が少ない場合であっても尿検体の採取を行うことができる。
【００１１】
また、本発明において好ましくは、前記採尿口は、前記分取部の側方へ向かって開口していることにより、尿検体貯留容器の装着位置が受尿容器の側方とすることができ、受尿容器の下方となる場合よりもボウル部の溜水面に干渉することを抑制できる。
【００１２】
また、本発明において好ましくは、前記受尿容器には、前後方向の一方側に前記排尿口が設けられ、他方側に前記採尿口が設けられていることにより、尿検体貯留容器が排尿口から排出される尿で汚れることを抑制できる。
【００１３】
また、本発明において好ましくは、前記受尿容器は、ボウル部の上端に載置されるように水平方向に延びる鍔部を更に有し、この鍔部が前記ボウル部の上端に載置された状態での上面視において、前記受尿容器によって前記尿検体貯留容器の略全体が隠れていることにより、尿検体貯留容器の側方へのはみ出しがなく、尿検体採取装置をコンパクト化できる。
【発明の効果】
【００１４】
本発明の尿検体採取装置によれば、被験者が受尿容器へと排尿するだけで、被験者が排尿した尿の一部のみが尿分取部へと流入し、この尿分取部へと流入した尿が尿検体貯留容器の尿貯留室へと貯留される。そして、排尿後には尿検体貯留容器を受尿容器から取外して特定成分濃度測定のための検査装置にかけること可能であり、尿検体を移し変える作業の手間が発生せず、衛生的である。
【図面の簡単な説明】
【００１５】
【図１】本発明の尿検体採取装置が利用される尿流量測定便器を示す斜視図である。
【図２】本発明の実施形態における尿検体採取装置の全体を示す斜視図である。
【図３】図２の尿検体採取装置の断面図である。
【発明を実施するための形態】
【００１６】
以下、図面を参照しながら本発明の尿検体採取装置の実施形態の一例について説明する。
図１は、本発明の尿検体採取装置が利用される尿流量測定便器を示す斜視図である。尿流量測定便器Ａは、洋風大便器１の上部に便座２１を回動自在に支持した衛生洗浄装置２が固定されており、尿流量の測定機能部（図示せず）は後部に設置されたキャビネット３の中に収納されている。そして、本発明に係わる尿検体採取装置４は破線で示されているように、洋風大便器１のボウル部の上縁となるリムに引っ掛けられて使用される。
【００１７】
洋風大便器１は陶器製もしくは樹脂製であり、使用者が大小便などの排泄物を排泄するボウル部（図示せず）に向けて洗浄水を供給可能な図示しない便器洗浄機能部（図示せず）を有している。洋風大便器１には、ボウル部から上昇管路とそれに続く下降管路から成るトラップ流路（いずれも図示せず）が形成されており、トラップ流路の下流側は建造物の排水管路（図示せず）へと接続されている。そのため、ボウル部の底部には溜水が形成されており、使用者（以下では、被験者とも呼ぶことがある）は、排泄後に便器洗浄機能部を操作してボウル部に向けて洗浄水を供給することで溜水と共に排泄物を排水配管へと排出可能である。このように、尿流量測定便器Ａは、通常の排泄行為の用途にも使用できる水洗式大便器となっている。また、使用者の上半身を支えることを配慮した背もたれ３１を、キャビネット３の前面に設置している。
【００１８】
操作・表示部７は、衛生洗浄装置操作用リモコン７１と排泄情報測定用リモコン７２から構成され、壁に取り付けられている。測定結果はキャビネット３の上方に配置されたプリンター６から出力されるだけでなく、院内ＬＡＮを介して電子情報として送信されるものであっても良い。
【００１９】
尿流量測定便器Ａは、被験者が尿流量の測定を行う場合には排泄情報測定用リモコン７２を操作することでボウル部１１の溜水の一部を排水配管へ排出するなどによって、溜水水位を低下させる。このように溜水の水位を低下させた状態で通常の排泄行為と同じようにボウル部に向けて排尿されると、尿によってボウル部に貯留されている溜水量が増加して水位が変化する量を水圧変化として計測し、それを予め記憶させている関係式に基づいて溜水量変化に換算することによって、排出される尿量や尿流率を測定するものである。
【００２０】
次に、本発明に係わる尿検体採取装置の一例について説明する。図２は、本発明の実施形態における尿検体採取装置の全体を示す斜視図。図３は、図２における尿検体採取装置の断面図であって、（ａ）は受尿容器から尿検体貯留容器を取外した非装着状態であり、（ｂ）は受尿容器に尿検体貯留容器を装着した状態である。
【００２１】
尿検体採取装置４は、特に尿流量測定装置Ａに座位で排尿する被験者に対して推奨されるものであり、被験者の排泄する排尿全てを確実に捕集できる充分な大きさの開口が上端に形成された受尿容器４０と、この受尿容器４０に対して着脱自在な尿検体貯留容器５０とを備えている。
【００２２】
受尿容器４０の概略全体形状としては、上面が開口した側面と底面とからなる容器であり、洋風大便器１のボウル部内に臨んで取り付けられる。より具体的には、洋風大便器１の後方側（図１におけるキャビネット３側）ではなく前方側に偏った位置に取り付けられる。そのため、開口の前方側は洋風大便器１のボウル部上縁の形状に倣うように円弧状（馬蹄形状）であり、後方側は直線状に形成さられている。そして、受尿容器４０の前方側の円弧状の上端には、水平方向に延びる馬蹄形状の鍔部４８が設けられている。この鍔部４８を洋風大便器１のリム上面に載置し、便座２１で挟み込んで使用するようになっている。
【００２３】
受尿容器４０には、底面の一部を窪ませることによって尿分取部４２が形勢され、底面はこの尿分取部４２へ向けて下り傾斜となっている。そのため、被験者が受尿容器４０に向けて排尿した尿は、最初に尿分取部４２へと流入する。また、尿分取部４２の側方を貫通した開口が採尿口４４として形成されており、この採尿口４４には、中空管である弁開放部材４５が斜め下方に向けて突出するように固定されている。更に受尿容器４０には、採尿口４４の上端よりも鉛直方向において上方を貫通した開口が排尿口４６として設けられており、この排尿口４６から尿分取部４２に流入して溢れた尿をボウル部に向け排出することができる。
【００２４】
尿検体貯留容器５０は、図３（ｂ）に示す採尿口４４に装着された状態で尿を貯留できる有底筒状の容器であり、試験管(スピッツ)を用いることが好適である。この尿検体貯留容器５０は、採尿口４４に装着されて尿を流入させるための尿流入口５２と、この尿流入口５２から流入した尿を貯留する尿貯留室５４とを有している。
【００２５】
また、尿流入口５２には、図３（ａ）に示す受尿容器４０から尿検体貯留容器５０を取外した非装着状態において尿流入口５２を閉じる閉塞弁５６が設けられており、尿貯留室５４に貯留された尿の飛び出しを防止することができる。この閉塞弁５６は所謂ダックビル形の逆止弁であって、尿流入口５２に固定される基端側にフランジを有する円筒状の筐体と、筐体内部基端側から尿貯留室５４に向けて軸中心で収束するように傾斜して延出した一対の対称な面状の弁体であって、弁体先端の両者の当接面で直線状のスリットが形成された弁体とが弾性素材により一体成形されたダックビル形逆止弁である。なお、図３（ｂ）に示すように、尿検体貯留容器５０は管状の弁開放部材４５を閉塞弁５６に圧入するように差し込むことによって採尿口４４に対して固定されている。その際、閉塞弁５６のダックビル状弁体における弁開放部材の周囲には隙間が生じており、採尿口４４からの尿の流入時のエア抜きとして機能する。
【００２６】
次に、本実施形態における尿検体採取装置４を用いた尿検体の採取について説明する。図３（ｂ）のように受尿容器４０に尿検体貯留容器５０が装着された尿検体採取装置４に対して被験者が排尿すると、その尿は先ず尿分取部４２に流入し溜まり始める。そして、尿分取部４２に溜まった尿の一部は採尿口４４に固定された弁開放部材４５の中空部を通って尿検体貯留容器５０の尿貯留室５４へ流入していく。その際、弁開放部材４５の中空状の流路は狭く、尿貯留室へ流入していく尿の単位時間当たりの流量は被験者の排尿における単位時間当たりの流量よりも少なく、被験者によって排尿された尿によって尿分取部４２はすぐに満杯となり排尿口４６の下端に到達し、到達した以降の尿は排尿口４６からボウル部へ排出されてボウル部の溜水へと至る。その結果、尿流量測定便器Ａにおいては、溜水の水位変化を測定することによって被験者の尿流量を測定することができる。
【００２７】
本実施形態においては、受尿容器４０の底部に窪んで形成された空間の内、排尿口４６の下端までの空間が実質的な尿分取部４２に相当する。この尿分取部４２の容積は尿検体貯留容器５０に必要量の検体を貯留できるのに必要な範囲で極力小さくすることが好ましい。具体的には、採取する必要な尿量は１５ｍＬ程度であることから、尿分取部４２の容積としてはこの採取必要量と同程度以下とすることが好ましい。被験者における１回の排尿量は数百ｍＬであるのに対して尿分取部に１５Ｌ程度が溜まったとしても、尿流量測定便器Ａにおける尿総量の測定結果に与える影響は誤差と看做せる程度であって無視できる。もし、尿総量の測定結果の精度を向上させるのであれば、この１５ｍＬを考慮して補正することが好ましい。
【００２８】
なお、本実施形態では、尿分取部４２は受尿容器４０の底部であるため、被験者からの排尿が最初に尿分取部４２へ流入し、排尿量が少ない場合であっても尿検体の採取を行うことができる。また、底部の一部を窪ませて形成しているため、容積が小さいので液面が上昇しやすく、その上昇した水位によるヘッド圧が作用することで、尿検体採取容器５０に必要量を流入させることができる。
【００２９】
また、被験者の尿流率（単位時間当たりの排尿量、ｍＬ／秒）は最大１００ｍＬ／秒程度とされており、排尿口４６は単位時間当たり１００ｍＬ／秒程度を滞留させることなく排出できる大きさに設定されている。そして、排尿口４６から流出を始めた以降に採尿口４４から尿検体貯留容器５０へと流出する尿の単位時間当たりの尿流量は数ｍＬ／秒程度であるため、排尿口４６から流出する尿流量に対する影響は無視できる程度である。従って、尿流量測定便器Ａによって得られる計測データは、尿検体採取装置４を使用しない場合と同じ挙動を示すこととなり、正確な測定が行なえる。
【００３０】
そして、被験者による排尿が終了した時点では、特定成分の検査に必要な量の尿検体が尿検体貯留容器５０に貯留されている。被験者または医療従事者は特定成分の測定装置に尿検体を移すために尿検体貯留容器５０を受尿容器４０から取り外すことになるが、この尿検体貯留容器５０を取り外した際に、弁開放部材５５から引き抜かれて閉塞弁５６が閉弁するため、尿検体が飛び出して漏出する恐れが無い。従って、医療従事者でなくても中央検査室への尿検体の搬送等を衛生的に行うことができ、被験者本人に任せることも可能である。さらに尿貯留容器５０としてそのまま特定成分検査装置用の試験管を用いていれば、尿検体の移し変えの手間が省けて効率的である。
【００３１】
また、本実施形態における尿検体採取装置４においては、採尿口４４は、尿分取部４０の側方へ向かって開口していることにより、そこに装着される尿検体貯留容器５０が受尿容器４０の側方、具体的には、鉛直下方と成す角度が４５度以上となる方向に向かうように装着されるため、尿検体貯留容器５０がボウル部の溜水面に干渉することを抑制でき、尿流量測定便Ａにおける測定に影響を及ぼすことを抑制できる。
【００３２】
また、受尿容器４０には、前方側に向けて排尿口４６が設けられ、後方側に採尿口４４が設けられていることにより、採尿口４４に装着された尿検体貯留容器５０が排尿口４６から排出される尿で汚れることを抑制できる。特に、尿検体貯留容器５０が装着される採尿口４４が後方側であることにより、前方側に比べて深く開放されたボウル部内の空間を尿検体貯留容器５０の配置に利用することができる。
【００３３】
また、受尿容器４０は、ボウル部の上端に載置された状態での上面視において、受尿容器４０によって尿検体貯留容器５０の全体が隠れている。そのため、尿検体貯留容器５０の後方へのはみ出しがなく、尿検体採取装置４をコンパクト化でき、洋風大便器１への取り付け作業を容易に行うことができる。
【００３４】
以上、本発明の実施形態の一例について説明してきたいが、本発明に係わる尿検体採取装置としてはこれに限定されるものでなく、尿分取部は受尿容器の側面の一部にポケット状に形成され排尿口が底面に形成されたものでもよく、本発明の特徴を含む範囲における様々な変形が可能である。
【符号の説明】
【００３５】
Ａ・・・尿流量測定便器
１・・・洋風大便器    
２・・・衛生洗浄装置
３・・・キャビネット
４・・・尿検体採取装置
６・・・プリンター
７・・・操作・表示部
２１・・・便座
３１・・・背もたれ
４０・・・受尿容器
４２・・・尿分取部
４４・・・採尿口
４５・・・弁開放部材
４６・・・排尿口
４８・・・鍔部
５０・・・尿検体貯留容器
５２・・・尿流入口
５４・・・尿貯留室
５６・・・閉塞弁
【図１】
2016138842.tif 000003
【図２】
2016138842.tif 000004
【図３】
2016138842.tif 000005